(57)【要約】【課題】情報表示装置から警報音などの音声を昼夜一定の音量で鳴ることを防ぐこと。【解決手段】情報表示装置１は、外部通信端末装置９などから情報を受信する通信手段２と、通信手段２が受信した情報を蓄積する情報蓄積手段３と、人の操作を受け付ける操作手段４と、操作手段４が受け付けた操作内容により情報蓄積手段３から情報を読み出す制御手段５と、情報蓄積手段３から読み出した情報を表示する表示手段７と、制御手段５が前記制御手段５内にある計時手段６を見て音声を出力する音声出力手段８から構成される。【選択図】  図１
2004248142.tif 000002
【特許請求の範囲】
【請求項１】
外部からの情報を受信する通信手段と、前記通信手段が受信した情報を蓄積する情報蓄積手段と、人の操作を受け付ける操作手段と、前記操作手段が受け付けた操作内容により情報蓄積手段から情報を読み出す制御手段と、前記制御手段が読み出した情報を表示する表示手段と、前記制御手段からの指示で操作内容などを音声で知らせる音声出力手段から構成され、前記制御手段は内蔵の計時手段の時刻により、前記音声出力手段の音声出力を制御することを特徴とする情報表示装置。
【請求項２】
制御手段は計時手段の時刻により音声出力手段の出力する音声の音量を制御し、音声を確認するまで一定時間間隔で警報を促すことを特徴とする請求項１に記載の情報表示装置。
【発明の詳細な説明】
【０００１】
【発明の属する技術分野】
本発明は、外部から情報を受信し、表示する情報表示装置に関するものである。
【０００２】
【従来の技術】
従来の情報表示装置は、装置を操作した際の操作音や、新着情報を受信した際に警報音を鳴らすものが考案されている（例えば、特許文献１参照）。また、時間帯によって鳴動する警報音の音量を制御する電話などが考案されている（例えば、特許文献２、３参照）。
【０００３】
【特許文献１】
特開２００１−２４９６４公報
【特許文献２】
実開平５−２４６１号公報
【特許文献３】
特開平５−３０４５４８号公報
【０００４】
【発明が解決しようとする課題】
しかしながら、この従来の情報表示装置には、次のような問題があった。
【０００５】
操作が行われているかを操作した住人に知らせる操作音（例：ピッ、ピッなど）や、情報表示装置の電池切れなどの警報音（例：ピー、ピーなど）が、昼夜を問わず、一定の音量で出力されていた。そのため、周囲の静かな深夜の就寝中等は、耳障りな音が鳴るので、住人に迷惑がかかっていた。逆に、音声での出力を止めてしまうと、新着情報や警報を見逃す恐れがあった。
【０００６】
本発明は、このような従来の問題を解決するためになされたもので、時刻によって発する音量を制御することにより、新着情報の到着等を効率よく住人にお知らせする。また、音量を可変する従来例の電話とは異なり、住人が確認するまで一定時間間隔で警報を促すことで漏らさずお知らせする情報表示装置を提供するものである。
【０００７】
【課題を解決するための手段】
前記、従来の課題を解決するために、本発明の情報表示装置は、制御手段に内蔵の計時手段の時刻によって音声出力手段から発する音量を消音、または、小さくすることにより、通常の音量で提供したくない深夜などの時間帯に迷惑がかかることなく住人にお知らせすることができる。
【０００８】
【発明の実施の形態】
請求項１に記載の発明は、外部からの情報を受信する通信手段と、前記通信手段が受信した情報を蓄積する情報蓄積手段と、人の操作を受け付ける操作手段と、前記操作手段が受け付けた操作内容により情報蓄積手段から情報を読み出す制御手段と、前記制御手段が読み出した情報を表示する表示手段と、前記制御手段からの指示で操作内容などを音声で知らせる音声出力手段から構成され、前記制御手段は内蔵の計時手段の時刻により、前記音声出力手段の音声出力を制御することを特徴とする情報表示装置を備えたものである。
【０００９】
従って、例えば、制御手段内の計時手段の時刻によって前記音声出力手段から発する音量を消音にすることにより、通常の音量で提供したくない深夜などの時間帯に無音で画面表示（表示手段）のみで住人にお知らせすることができる。
【００１０】
また、請求項２に記載の発明は、請求項１に記載の音声出力手段の音量を小さくすることによって、通常の音量で提供したくない深夜などの時間帯に効率よく住人にお知らせすることができる。
【００１１】
よって、本発明は制御手段に内蔵の計時手段の時刻によって前記音声出力手段から発する音量を消音、または、小さくすることにより、通常の音量で提供したくない時間帯に効率よく住人にお知らせすることができ、住人が確認するまで一定時間間隔で警報を促すことで漏らさずお知らせすることを特徴とする。
【００１２】
【実施例】
以下、本発明の実施例について、図面を用いて説明する。
【００１３】
（実施例１）
図１は、本発明の情報表示装置のブロック図を示す。
【００１４】
図１において、１は情報表示装置である。情報表示装置１は、宅内に設置され、外部通信端末装置９から得られる情報ａ（お知らせや電池切れなど）を画面表示とともに音声で報知する。情報表示装置１において、２は通信手段であり、外部通信端末装置と通信し、情報ａを得る。３は情報蓄積手段であり、通信手段２が得た情報を情報ファイルｂとして受け取り蓄積する。４は操作手段であり、住人からの操作を受け付け、操作内容ｄを制御手段５に伝える。制御手段５は操作内容ｄに従い、情報蓄積手段３から選択された情報ｃを読み出し、表示手段７に画面制御指示ｅを送るとともに、音声出力手段８にも警報制御指示ｆを送る。表示手段７は画面制御指示ｅに基づき当該情報を表示し、音声出力手段８は警報制御指示ｆに基づき、当該情報を音声によってお知らせする。６は制御手段に内蔵の計時手段であり、現時刻を管理している制御手段５は前記計時手段６が管理している時刻を見て、時間帯により、音声出力手段から発せられる音声出力を制御する。
【００１５】
次に、前記の情報表示装置の動作手順について説明する。
【００１６】
図２は、第１の実施例の情報表示装置の音量の変化を時間軸で示した図である。
【００１７】
図２において、音声出力手段８は、時刻ｔ１内（例えば０７：００〜２３：００）において、警報音を鳴らす事態が生じた場合、通常通り、表示手段７によって画面表示は行い、住人が宅内において普通に聞こえるくらいの音量でお知らせする。制御手段５で設定された時刻ｔ２内（例えば２３：００〜０７：００）において、警報音を鳴らす事態が生じた場合、通常通り、表示手段７によって画面表示は行うが、住人に迷惑がかからないようにするため、音声出力手段８によって、音声を消音にする。表示手段７による画面表示でも気づかない場合は、時刻ｔ３内（例えば０７：００〜２３：００）の一定時間おきに再び警報を促し、例えば「ＯＫ」ボタンを押したことによって、住人がその情報を確認したと判断し、その時点で催促は終了するというものである。
【００１８】
図３は、前記の情報表示装置の動作手順を示している。
【００１９】
以下、電池で動作する外部通信端末装置９の電池が切れた場合を例に説明する。
【００２０】
図３において、通信手段２と外部通信端末装置９が、一定時間ごとに通信を行い、外部通信端末装置９の電池が切れ、情報ａが通信手段２へ届かないことを認識すると、その情報を情報蓄積手段３で蓄積し、その後、制御手段５から画面制御指示ｅを表示手段７に送り、電池切れの旨を画面表示によって行う。また制御手段５内の計時手段６を見て、図２のｔ１及びｔ３の時間内では警報制御指示ｆによって、音声出力手段８にて通常の警報音の音量でお知らせする。一方、制御手段５内の計時手段６を見て、前記の図２のｔ２の時間内の場合には、警報制御指示ｆによって、音声出力手段８にて音量を消音でお知らせすることによって、深夜などに大きな音量での警報音が鳴るのを防ぐことが出来る。
【００２１】
また、電池切れに関係なく、住人が操作手段４によって情報表示装置１を操作しても、制御手段５内の計時手段６を見て、図２のｔ２の時間内の場合には、警報制御指示ｆによって、音声出力手段８にて操作音の音量を消音でお知らせすることによって、深夜などに大きな音量での操作音が鳴るのを防ぐことが出来る。
【００２２】
（実施例２）
以下、本発明の第２の実施の形態について、図面を用いて説明する。図１において、制御手段５は、前記計時手段６を見て、ある時間帯により、音声出力手段から発せられる音量を消音及び、小さくする警報報制御指示ｆを出力するようにしたものである。
【００２３】
次に、本発明の情報表示装置の動作手順について説明する。
【００２４】
図４は、第２の実施例の情報表示装置の音量の変化を時間軸で示した図である。
【００２５】
図４において、音声出力手段８は、時刻ｔ１内（例えば０７：００〜２２：００）において、警報音を鳴らす事態が生じた場合、通常通り、表示手段７によって画面表示は行うが、住人が宅内において普通に聞こえるくらいの音量でお知らせする。制御手段５で設定された時刻ｔ２’内（例えば２２：００〜２３：００）において、警報音を鳴らす事態が生じた場合、通常通り、表示手段７によって画面表示は行うが、住人に迷惑がかからないようにするため、音声出力手段８によって、音量を小さめにする。制御手段５で設定された時刻ｔ２内（例えば２３：００〜０６：００）において、警報音を鳴らす事態が生じた場合、通常通り、表示手段７によって画面表示は行うが、住人に迷惑がかからないようにするため、音声出力手段８によって、音声を消音にする。制御手段５で設定された時刻ｔ２’’内（例えば０６：００〜０７：００）において、警報音を鳴らす事態が生じた場合、通常通り、表示手段７によって画面表示は行うが、住人に迷惑がかからないようにするため、音声出力手段８によって、音量を小さめにする。表示手段７による画面表示でも気づかない場合は、時刻ｔ３内（例えば０７：００〜２２：００）の一定時間おきに再び警報を促し、例えば「ＯＫ」ボタンを押したことによって、住人がその情報を確認したと判断し、その時点で催促は終了するというものである。
【００２６】
図３は、前記の情報表示装置の動作手順を示している。
【００２７】
図３において、通信手段２と外部通信端末装置９が、一定時間ごとに通信を行い、外部通信端末装置９の電池が切れ、情報ａが通信手段２へ届かないことを認識すると、その情報を情報蓄積手段３で蓄積し、その後、制御手段５から画面制御指示ｅを表示手段７に送り、電池切れの旨を画面表示によって行う。また制御手段５内の計時手段６を見て、図４のｔ１及びｔ３の時間内では警報制御指示ｆによって、音声出力手段８にて通常の警報音の音量でお知らせする。一方、制御手段５内の計時手段６を見て、図４のｔ２の時間内の場合には、警報制御指示ｆによって、音声出力手段８にて音量を消音でお知らせすることによって、深夜などの大きな音量での警報音が鳴るのを防ぐことができ、図４のｔ２’及び、ｔ２’’の時間内の場合には、警報制御指示ｆによって、音声出力手段８にて音量を小さめにお知らせすることによって、深夜などの大きな音量での警報音が鳴るのを防ぐことが出来る。
【００２８】
また、電池切れに関係なく、住人が操作手段４によって情報表示装置１を操作しても、制御手段５内の計時手段６を見て、図４のｔ２の時間内の場合には、警報制御指示ｆによって、音声出力手段８にて操作音の音量を消音でお知らせし、また図４のｔ２’及び、ｔ２’’の時間内の場合には、警報制御指示ｆによって、音声出力手段８にて操作音の音量を小さめにお知らせすることによって、深夜などの大きな音量での操作音が鳴るのを防ぐことが出来る。
【００２９】
【発明の効果】
以上のように、本発明によれば、制御手段内の計時手段の時刻を見ることによって、通常音量で住人にお知らせしてもよい時間帯と、そうではない時間帯を認識し、音量を消音または音量を小さくしてお知らせすることによって、深夜などの大きな音量での警報音が鳴るのを防ぐことができる。また、住人が確認するまで一定時間間隔で警報を促すことで漏らさずお知らせすることができる。
【図面の簡単な説明】
【図１】本発明の実施例１における情報表示装置のブロック図
【図２】本発明の実施例１における情報表示装置の音量の変化を時間軸で示した図
【図３】本発明の実施例における情報表示装置の動作手順を示した図
【図４】本発明の実施例２における情報表示装置の音量の変化を時間軸で示した図
【符号の説明】
１  情報表示装置
２  通信手段
３  情報蓄積手段
４  操作手段
５  制御手段
６  計時手段
７  表示手段
８  音声出力手段
９  外部通信端末装置
【図１】
2004248142.tif 000003
【図２】
2004248142.tif 000004
【図３】
2004248142.tif 000005
【図４】
2004248142.tif 000006